(57)【要約】      （修正有）【課題】アクセサリーの収納及び取出作業が容易に行え且つ収納時にもアクセサリーを美しく飾ることができるアクセサリーケースを提供する。【解決手段】このアクセサリーケース１０は、特にネックレス１１を収容するのに適する。アクセサリーケース１０は、透明の容器本体１５と、支持蓋１６とを有する。容器本体１５は円筒状のシンプルな形状である。支持蓋１６は係止片１４を有し、ネックレス１１は、係止片１４に引っ掛けられる。ネックレス１１が係止片１４に吊り下げられた状態で、容器本体１５の開口２５から収容空間に挿入される。支持蓋１６は、開口２５に着脱自在に圧入される。【選択図】図１
0003194147.tif 000002
【実用新案登録請求の範囲】
【請求項１】
光透過性材料からなり、上部に開口が形成されると共に当該開口に連通して内部に収容空間が区画された容器本体と、
上記開口に着脱自在に嵌め込まれ、アクセサリーを吊り下げた状態で保持し得る支持蓋とを有するアクセサリーケース。
【請求項２】
上記支持蓋は、
弾性部材からなり、上記開口に圧入される蓋本体と、
当該蓋本体に設けられ、先端部が鍵形に形成された係止片を有する請求項１に記載のアクセサリーケース。
【請求項３】
上記容器本体は円筒状に形成されており、上記開口は、当該容器本体の上面に設けられた円形の穴からなる請求項１又は２に記載のアクセサリーケース。
【請求項４】
上記弾性部材はコルクであり、上記係止片は、耐腐食性に富む金属製の線状部材からなる請求項２又は３に記載のアクセサリーケース。
【考案の詳細な説明】
【技術分野】
【０００１】
この考案は、アクセサリーケースの構造に関するものである。
【背景技術】
【０００２】
たとえば、宝石や貴金属からなるネックレスなど、美しく魅力的なアクセサリーは、使用されないときにも専用のケースに入れられ、収納される（たとえば特許文献１参照）。
【先行技術文献】
【特許文献】
【０００３】
【特許文献１】特開２０１２−２２３２１２号公報
【考案の概要】
【考案が解決しようとする課題】
【０００４】
特許文献１に開示されたアクセサリーセットは、アクセサリーとその収納瓶とをセットにしたものである。当該文献によれば、需要者は、このアクセサリーセットを購入する際に、当該アクセサリーを収納瓶に入れた状態を想像することができ、需要者の購買意欲がそそられるとされている。
【０００５】
ところで、美しいアクセサリーは、単に透明の容器に収納されるだけでは、その魅力が生かされない。また、特にチェーンを有するネックレスなどは、乱雑に容器に収容されると絡み合ってしまうおそれがある。さらに、アクセサリーの容器への収納、取出作業は、容易であることが要請される。
【０００６】
本考案はかかる背景のもとになされたものであって、その目的は、アクセサリーの収納及び取出作業が容易に行うことができ、且つ収納時にもアクセサリーを美しく飾ることができるアクセサリーケースを提供することである。
【課題を解決するための手段】
【０００７】
(1) 本考案に係るアクセサリーケースは、光透過性材料からなり、上部に開口が形成されると共に当該開口に連通して内部に収容空間が区画された容器本体と、上記開口に着脱自在に嵌め込まれ、アクセサリーを吊り下げた状態で保持し得る支持蓋とを有する。
【０００８】
この構成によれば、たとえばネックレスなどのアクセサリーは、支持蓋に保持された状態で、容器本体の開口から収容空間に入れられる。この開口は、容器本体の上部に設けられているから、支持蓋が容器本体の開口に嵌め込まれることにより、当該アクセサリーは、上記収容空間内で支持蓋に吊り下げられる。容器本体は光透過性材料から構成されることから、当該アクセサリーは、収納時においても外部からその本来の美しい姿が観賞され得る。また、支持蓋が外されることにより、アクセサリーは、上記開口から引き出され、簡単に取り出される。
【０００９】
(2) 上記支持蓋は、弾性部材からなり、上記開口に圧入される蓋本体と、当該蓋本体に設けられ、先端部が鍵形に形成された係止片を有する。
【００１０】
この構成では、蓋本体が弾性部材からなるので、蓋本体は、上記開口に圧入され確実に固定される。しかも、蓋本体を上記開口へ嵌め込む作業及び取り外す作業が容易である。さらに、係止片の先端部が鍵形に形成されているので、アクセサリーが簡単且つ確実に支持蓋に保持され、しかも着脱が容易である。
【００１１】
(3) 上記容器本体は円筒状に形成されており、上記開口は、当該容器本体の上面に設けられた円形の穴からなる。
【００１２】
この構成では、容器の形状がシンプルであり、支持蓋に吊り下げられたアクセサリーの美しさが引き出される。加えて、容器本体に設けられた開口が円形であるから、支持蓋の着脱作業もより簡単になる。
【００１３】
(4) 上記弾性部材はコルクであり、上記係止片は、耐腐食性に富む金属製の線状部材からなる。
【００１４】
この構成によれば、支持蓋が安価に構成される。しかも、支持蓋がきわめてシンプルな構造となるので、アクセサリーの美しさ、魅力が阻害されることがない。
【考案の効果】
【００１５】
この考案によれば、収納地においてもアクセサリーの美しさ及び魅力を損なうことなく飾ることができ、しかもアクセサリーの収納及び取出作業が容易に行える。
【図面の簡単な説明】
【００１６】
【図１】図１は、本考案の一実施形態に係るアクセサリーケース１０の外観斜視図である。
【図２】図２は、アクセサリーケース１０の容器本体１５の外観斜視図である。
【図３】図３は、アクセサリーケース１０の支持蓋１６の外観斜視図である。
【図４】図４は、アクセサリーケース１０の分解斜視図であり、ネックレス１１の収納手順が示されている。
【考案を実施するための形態】
【００１７】
以下、本考案の好ましい実施形態が、適宜図面が参照されながら説明される。なお、本実施の形態は、本考案に係るアクセサリーケースの一態様にすぎず、本考案の要旨を変更しない範囲で実施態様が変更されてもよいことは言うまでもない。
【００１８】
図１は、本考案の一実施形態に係るアクセサリーケース１０の外観斜視図である。
【００１９】
このアクセサリーケース１０は、宝石、貴金属等からなるアクセサリーを出し入れ自在に収納するものである。本実施形態では、アクセサリーケース１０は、ネックレス１１を収納している。このネックレス１１は、所要のカットが施された宝石１２を備え、この宝石１２に貴金属からなるチェーン１３が付されている。そして、このチェーン１３が、後に詳述される係止片１４に引っ掛けられている。
【００２０】
本実施形態の特徴とするところは、アクセサリーケース１０の構造である。具体的には、アクセサリーケース１０は、透明の容器本体１５と、支持蓋１６とを備えている点であり、ネックレス１１は、支持蓋１６に吊り下げられた状態で容器本体１５内で保持され、看者は、外部からネックレス１１の美しい姿を観賞できるようになっている。
【００２１】
図２は、容器本体１５の外観斜視図である。
【００２２】
容器本体１５は、光透過性材料からなる。典型的には、ガラスのほかアクリル樹脂、アクリロニトリルブタジエンスチレン共重合体（ＡＢＳ）その他の樹脂が採用される。同図が示すように、容器本体１５は、円筒状に形成されている。具体的には、容器本体１５は、円形の底部１７と、この底部１７の周縁に連続して上方に立ち上がった筒状の側壁部１８とを有する。この側壁部１８の上縁に連続して傘状に形成された肩部１９が設けられており、この肩部１９の上端部２１（実用新案登録請求の範囲に記載された「上部」に相当）に口部２０が設けられている。これら底部１７、側壁部１８、肩部１９及び口部２０は、一体的に形成されており、これらによって、容器本体１５の内部に収容空間２６が区画されている。
【００２３】
口部２０は、リング状に形成されており、フランジ２２が形成されている。この口部２０の中心に上下に貫通する円形の穴２３が設けられている。この穴２３は、口部２０の上面２４に開口２５を形成している。この開口２５は、上記収容空間２６と連通しており、ネックレス１１は、開口２５を通じて収容空間２６に出し入れされる。
【００２４】
本実施形態では、容器本体１５が前述の形状に形成されているが、他の形状であってもよい。たとえば、上記底部１７が多角形であり、側壁部１８もこれに対応した断面形状の筒に形成されていてもよい。また、上記開口２５も円形に限定されることはなく、他の形状であってもよい。さらに、この開口２５は、本実施形態では上記上面２４に設けられているが、容器本体１５の上部であれば、たとえば上記肩部１９に設けられていてもよい。要するに、ネックレス１１が上方から吊り下げられる位置に上記開口２５が設けられていればよい。
【００２５】
図３は、支持蓋１６の外観斜視図である。
【００２６】
支持蓋１６は、蓋本体２７と、上記係止片１４とを備えている。同図が示すように、蓋本体２７は、円錐台形状に形成されている。すなわち、蓋本体２７は、下端部２８の外径が小さく、上方に向かって漸次拡径された形状である。この下端部２８の外径は、上記穴２３（図２参照）の内径よりも小さく、蓋本体２７の上端部２９の外径は、上記穴２３の内径よりも大きく設定されている。蓋本体２７は、コルクからなり、所定の弾性を有する。もっとも、蓋本体２７の材質は、コルクのほか樹脂やゴム等も採用され得る。要するに、蓋本体２７は、上記開口２５に圧入され得るように弾性を備えていればよい。また、本実施形態では、蓋本体２７の外形形状は、上記穴２３の形状（円形）に対応して円錐台形となっているが、上記穴２３の形状が変更されれば、これに対応して蓋本体２７の外形形状が変更されることは言うまでもない。
【００２７】
係止片１４は、本実施形態ではステンレス鋼からなり、軸部３０と鍵部３１とを有する。この係止片１４は、線状のステンレス鋼が湾曲されることにより構成されている。係止片１４を構成する材料はステンレス鋼に限定されるものではなく、耐腐食性に富んだ金属であれば他の材料が採用され得る。また、樹脂により係止片１４が構成されてもよい。
【００２８】
本実施形態では、係止片１４の軸部３０が上記蓋本体２７の中央に差し込まれている。軸部３０は、接着剤等により蓋本体２７に固定されてもよい。さらに、軸部３０の上端に固定フランジが設けられ、当該軸部３０を蓋本体２７に確実に固定する構造が採用されてもよい。軸部３０が蓋本体２７に差し込まれることにより、係止片１４は、蓋本体２７の中央から垂下した状態となる。そして、軸部３０に連続する鍵部３１が湾曲して上方に伸びている。軸部３０は、蓋本体２７の中央に差し込まれなくてもよく、たとえば、軸部３０にネジが形成され、軸部３０が蓋本体２７にねじ込まれる構造であってもよい。要するに、蓋本体２７から垂下するように取付られればよい。
【００２９】
本実施形態に係るアクセサリーケース１０は、次のように使用される。
【００３０】
図４は、ネックレス１１の収納手順を示す斜視図である。
【００３１】
ネックレス１１の使用者は、ネックレス１１を使用しないときはアクセサリーケース１０に収納する。このとき、使用者は、ネックレス１１を手に取り、同図が示すように、支持蓋１６に引っ掛ける。具体的には、ネックレス１１のチェーン１３の一部が支持蓋１６の鍵部３１に引っ掛けられる。ネックレス１１は、支持蓋１６に保持された状態で、容器本体１５の開口２５から吊り下げられた状態で収容空間２６に挿入され、支持蓋１６が上記開口２５に嵌め込まれる。
【００３２】
容器本体１５の開口２５は、容器本体１５の上部に設けられているから、図１が示すように、支持蓋１６が容器本体１５の開口２５に嵌め込まれることにより、ネックレス１１は、収容空間２６内で支持蓋１６に吊り下げられる。容器本体１５は透明であるから、使用者は、収納時においても外部からネックレス１１の本来の美しい姿を観賞することができる。しかも、収納時においてネックレス１１のチェーン１３が絡み合ってしまうこともない。そして、支持蓋１６が上記開口２５から外されることにより、ネックレス１１は、容器本体１５から引き出され、簡単に取り出される。
【００３３】
このように、本実施形態に係るアクセサリーケース１０では、ネックレス１１の美しさ及び魅力を損なうことなく飾った状態で収容することができ、しかもネックレス１１の収納及び取出作業が容易に行える。
【００３４】
また、本実施形態では、蓋本体２７が弾性を有するので、蓋本体２７は、上記開口２５に圧入され確実に固定される。そのうえ、蓋本体２７を上記開口２５へ嵌め込む作業及び取り外す作業が容易であるという利点もある。さらに、上記係止片１４に鍵部３１が形成されているので、ネックレス１１が簡単且つ確実に支持蓋１６に保持され、しかも着脱がきわめて容易である。
【００３５】
本実施形態では、容器本体１５が円筒状であり、その形状がシンプルである。このため、支持蓋１６に吊り下げられたネックレス１１の美しさが引き出される。加えて、容器本体１５に設けられた開口２５が円形であるから、支持蓋１６の着脱作業もより簡単になるという利点がある。
【００３６】
特に、蓋本体２７がコルクからなり、係止片１４がステンレス鋼からなるので、支持蓋１６が安価に構成される。しかも、支持蓋２７の構造もきわめてシンプルであるので、ネックレス１１の美しさ、魅力が阻害されることがない。
【符号の説明】
【００３７】
１０・・・アクセサリーケース
１１・・・ネックレス
１４・・・係止片
１５・・・容器本体
１６・・・支持蓋
１７・・・底部
１８・・・側壁部
１９・・・肩部
２０・・・口部
２１・・・上端部
２３・・・穴
２４・・・上面
２５・・・開口
２６・・・収容空間
２７・・・蓋本体
２８・・・下端部
２９・・・上端部
３０・・・軸部
３１・・・鍵部
【図１】
0003194147.tif 000003
【図２】
0003194147.tif 000004
【図３】
0003194147.tif 000005
【図４】
0003194147.tif 000006